(57)【要約】  単独のクランプによって保持されるよりも大きな工作物に適応するために、クランプを、実質的に同じだが別の第２クランプに取り付ける。クランプは、バーまたはパイプ等の中間部材に取り付けられる第１ジョーと、第１ジョーに選択的に対向するようにして中間部材に着脱自在に取り付け可能な第２ジョーとを含む。第２ジョーは、第２クランプの第２ジョーにおける相補形状表面と相互係止するように形状づけられた表面を含む。
2009517230.tif 000002
【特許請求の範囲】
【請求項１】
クランプにして、該クランプと実質的に同じ形態の第２クランプに取り付けられるようになされたクランプであって、
中間部材に取り付けられる第１ジョーと、該第１ジョーに対して選択的に対向するように前記中間部材に着脱自在に取り付け可能な第２ジョーとを備え、該第２ジョーは表面を有しており、該表面は、前記第２クランプの第２ジョーにおける相補形状表面と相互係止するように形状づけられている、クランプ。
【請求項２】
前記第２ジョーの前記表面は、該第２ジョーの中心線のほぼ第１側にある突出部と、前記中心線のほぼ第２側にある相補形状凹部とを備え、前記突出部および凹部は、前記第２ジョーの前記表面が第２クランプの同一形状第２ジョーと相互係止できるように形状づけられている、請求項１に記載のクランプ。
【請求項３】
前記突出部は、対称形状をしており、且つ、細い首部分と比較的大きい頭部分とを有しており、前記凹部は、対称形状をしており、且つ、狭い口と比較的大きい内部とを有しており、前記突出部の前記頭部分は、前記凹部の前記口部分よりも大きい、請求項２に記載のクランプ。
【請求項４】
前記突出部および前記凹部は蟻接ぎ状に形成されている、請求項３に記載のクランプ。
【請求項５】
前記突出部および前記凹部はＴ字状に形成されている、請求項４に記載のクランプ。
【請求項６】
前記突出部の前記頭部分および前記凹部の内部は球形状に形成されている、請求項３に記載のクランプ。
【請求項７】
前記第１ジョーは前記中間部材上に滑動自在に受けられるようになされている、請求項１に記載のクランプ。
【請求項８】
前記中間部材はバーからなる、請求項１に記載のクランプ。
【請求項９】
前記中間部材はパイプからなる、請求項１に記載のクランプ。
【請求項１０】
バークランプであって、
細長いバーと、
前記バーに滑動自在に受けられるようになされた可動ジョーと、
前記バーに着脱自在に取り付け可能な第２ジョーと、
を備え、前記第２ジョーは、表面を有しており、該表面は、第２バークランプの第２ジョーの相補形状表面と相互係止するように形状づけられている、バークランプ。
【請求項１１】
前記第２ジョーの前記表面は、該第２ジョーの中心線のほぼ第１側にある突出部と、前記中心線のほぼ第２側にある相補形状凹部とを備え、前記突出部および前記凹部は、前記第２ジョーの前記表面が第２バークランプの同一形状の第２ジョーと相互係止するように形状づけられている、請求項１０に記載のバークランプ。
【請求項１２】
前記突出部は、対称形状をしており、且つ、細い首部分と比較的大きい頭部分とを有しており、前記凹部は、対称形状をしており、且つ、狭い口と比較的大きい内部とを有しており、前記突出部の前記頭部分は前記凹部の前記口部分よりも大きい、請求項１１に記載のバークランプ。
【請求項１３】
前記突出部および前記凹部は蟻接ぎ状に形成されている、請求項１２に記載のバークランプ。
【請求項１４】
前記突出部および前記凹部はＴ字状に形成されている、請求項１３に記載のバークランプ。
【請求項１５】
前記突出部の前記頭部分および前記凹部の内部は球形状に形成されている、請求項１２に記載のクランプ。
【発明の詳細な説明】
【技術分野】
【０００１】
本発明は、クランプおよびバークランプに関するものである。
【背景技術】
【０００２】
バークランプは、工芸家、木工職人および大工によって最も広く使用されている固定具である。バークランプは、通常、バーまたはパイプの適所に取り付けられた第１のジョーである「固定ジョー」と、第１固定ジョーに対向するようにバーまたはパイプに取り付けられた第２のジョーである可動ジョーとを備えている。例えば、米国特許第１，７８３，７１３号（バークランプを開示している）および米国特許第６，３３８，４７８号（パイプクランプを開示している）を参照されたい。
【０００３】
特定の作業のための適切なバークランプをどう選択するかは、把持されるべき工作物のサイズによって決まる。バークランプは、１５ｃｍ（６ｉｎ）から２．４ｍ（８ｆｔ）までの範囲の長さのものを通常は入手できる。あまりないであろうことに備えて、熟練工が異なる長さの多数のバークランプまたはパイプクランプを所持していることは、珍しくはない。しかし、多くの趣味愛好家および日曜大工をする人たちは、入手可能な多くの異なる長さの自家用バークランプを自分で所持することはめったになく、したがって、手元にあるクランプよりも、固定ジョーと可動ジョーとの間がもっと広いクランプがあったらいいのに、というような状況に直面する傾向がある。
【特許文献１】米国特許第１，７８３，７１３号
【特許文献２】米国特許第６，３３８，４７８号
【発明の開示】
【発明が解決しようとする課題】
【０００４】
したがって、本発明の目的は、バークランプであって、同様に形状づけられた別のバークランプに連結されうるバークランプを提供し、クランプのジョー部材間の作業距離を増加させることにある。
【課題を解決するための手段】
【０００５】
この目的ならびに下記の詳細な説明および添付図面を参照したとき明らかになるその他の目的は、クランプであって、別のほぼ同じ第２クランプに取り付けられるのに適したクランプによって達成される。クランプは、バーまたはパイプ等の中間部材に取り付けられる第１ジョーと、第１ジョーに選択的に対向するように中間部材に着脱自在に固定可能な第２ジョーとを含む。第２ジョーは表面を含み、この表面は、第２クランプの第２ジョーの相補形状表面と係合するように形状づけられる。
【０００６】
好ましくは、第２ジョーの表面は、その第２ジョーの中心線のほぼ第１側にある突出部と、中心線のほぼ第２側にある相補形状凹部とを備えている。突出部および凹部は、第２ジョーの表面が第２クランプの同一形状第２ジョーと相互係止するように形成されている。好ましくは、突出部は、対称形状をしており、且つ、細い首部分と比較的大きい頭部分とを有している。凹部は、対称形状をしており、且つ、狭い口と比較的大きい内部とを有する。突出部の頭部分は凹部の口部分よりも大きい。突出部および凹部は、蟻接ぎ状、Ｔ字状、球形状等の多数の任意の形状とすることができる。
【発明を実施するための最良の形態】
【０００７】
図１および図２を参照すれば、総体的に１０で示されたバークランプが示されている。バークランプ１０は、総体的に１０Ａで示された第２バークランプに結合されうる。第２バークランプ１０Ａはバークランプ１０とほぼ同じ形状を有していて、それによって使用者が、図２に示すように、より大きいな工作物に使用するのに適したバークランプを作り出すことができる。
【０００８】
バークランプ１０、１０Ａは、それぞれが可動ジョー１２と固定ジョー１４とを含む。両ジョーはスライドバー１６に受けられる。可動ジョー１２は、ハンドル／グリップ組立体１８と一体に形成されている。ハンドル／グリップ組立体１８は、可動ジョー１２をスライドバー１６に沿って固定ジョー１４に向けて歩進させるための第１操作ハンドル２０と、当該技術においては周知のように、可動ジョー１２が固定ジョー１４から遠ざかるように自由に滑ることができるようにスライドバー１６の固定状態を解除するための第２操作ハンドル２２とを含んでいる。ハンドル／グリップ組立体１８のための内部機構は、米国特許第６，６５５，６７０号に開示されているものとしてもよく、該米国特許を参照することにより本明細書に組み入れることとする。
【０００９】
固定ジョー１４は、スリーブ部分２４を含む。スリーブ部分２４はスライドバー１６を受けるようになされており、固定ジョー１４が摘みねじ２６およびナット２８によってスライドバー１６に着脱自在に取り付けられる。摘みねじ２６の柄は、スライドバー１６の端に隣接した穴３０内に受けられる。
【００１０】
図１に示すように、バークランプ１０は、２つの対向するジョー１２、１４間に工作物を保持できるように形成されている。固定ジョー１４の取外し可能機能によって、バークランプ１０が拡張機として使用できるように再形成され得る。この目的のために、固定ジョー１４はスライドバー１６の第１端から取り外され、ハンドル／グリップ組立体１８がスライドバー１６の第１端に向けて動かされ、そして、固定ジョー１４がハンドル／グリップ組立体１８上の可動ジョー１２とは反対方向を向くように、固定ジョー１４をスライドバー１６の第２端に固定する。スライドバー１６は、固定ジョー１４をいずれかの端に選択的に固定することを容易にするように、各端に隣接した穴３０を有する。好適実施例においては、スライドバーの各端はストッパ３２を含む。ストッパ３２は、スライドバー１６上のハンドル／グリップ組立体１８を保持するようにスライドバー１６の面を超えて横方向に延びている。
【００１１】
本発明によれば、固定ジョー１４のスリーブ２４には、総体的に符号３４で示す表面が設けられている。表面３４は、第２バークランプの固定ジョーにおける類似の表面と同語係止するように形状づけられ、それによって、使用者が図２に示すように延長バークランプを作ることができる。
【００１２】
図３、４、７に最も良く示すように、表面３４は突出部３６および相補形状凹部３８を備えている。上から見たとき、図３に示すように、突出部３６は対称形状をしており、細い首部分４０および比較的大きい頭部分４２を有する。凹部３８は同様に対称形状をしており、比較的大きい内部４６と狭い口部分４４とを有する。理解できるように、突出部３６の頭部分４２は、凹部３８の口部分４４よりも大きくなっていて、クランプ力がスライドバー１６の縦軸方向に発生されたとき、２つの相互係止された固定ジョー１４は相互分離に抵抗するが、スライドバー１６の縦軸に垂直な方向に力が加えられると、スライドして相互分離することができる。図示した固定ジョーにおいては、突出部３６および凹部３８は蟻接ぎ形状である。しかし、それらはＴ字形状または球形形状でも良い。これらはいずれも本発明の範囲内のものである。
【００１３】
結局のところ、上述した形式の１対のバークランプ１０、１０Ａは、先ず２つの固定ジョー１４をそれらの各スライドバー１６から取り外し、一体に結合させる。固定ジョー１４は、それらの各スライドバー１６の縦軸の回りに１８０度回転され、次いでスライドバー１６に再度取り付けられる。すなわち、固定ジョー１４のジョー部分と可動ジョー１２のジョー部分とは、スライドバー１６に関して互いに反対側になる。固定ジョー１４の相互係止表面３４は、図２において矢印で示されているようなスライド運動によって一体に結合される。このようにして、２つの固定ジョー１４は相互係止し、バークランプ１０、１０Ａの２つの可動ジョー１２は相互対向状態になって工作物を間に取り付けることのできる状態になる。
【００１４】
このようにして、本発明の全ての目的に合致するバークランプの形態が提供される。本発明は好適実施例に関して記載されてきたが、それに限定する意図ではない。変更例もまた本発明に包摂されることは、当業者にとっては明らかである。例えば、クランプは、可動ジョーおよび固定ジョーが装着されるスライドバーを含むものとして説明されてきたが、スライドバー以外の他の構造部材、例えば様々な断面形状を有するパイプ、ロッド、バー等がジョーを支持する部材として本発明に含まれても良い。
【図面の簡単な説明】
【００１５】
【図１】本発明に基づくバークランプの平面図である。
【図２】本発明に基づく第２バークランプに接続され、それによってバークランプの作業長を延長した本発明に基づく第１バークランプの平面図である。
【図３】図２に示す２つのバークランプの相互結合ジョー部材の底面図である。
【図４】本発明に基づく固定ジョーの上面図である。
【図５】本発明に基づく固定ジョーの平面図である。
【図６】本発明に基づく固定ジョーの側面図である。
【図７】本発明に基づく固定ジョーの斜視図である。
【図１】
2009517230.tif 000003
【図２】
2009517230.tif 000004
【図３】
2009517230.tif 000005
【図４】
2009517230.tif 000006
【図５】
2009517230.tif 000007
【図６】
2009517230.tif 000008
【図７】
2009517230.tif 000009
【国際調査報告】
2009517230.tif 000010
2009517230.tif 000011
2009517230.tif 000012